(57)【特許請求の範囲】
【請求項１】
固定部材に端板が固定設置された固定スクロールと、
前記固定スクロールに噛み合わされて圧縮室を形成し、端板背面がスラスト軸受部により支持されて前記固定スクロール周りに公転旋回駆動される旋回スクロールと、
前記スラスト軸受部のスラスト軸受面に設置され、前記旋回スクロールの端板背面が摺動する耐摩耗性材からなる薄板状のスラストプレートと、を備え、
前記スラストプレートは、外周上の複数箇所に設けられた弾性変形可能なフック形状の係止爪を具備し、その係止爪のフック部を前記スラスト軸受部側に係止することにより固定設置され、
前記フック部は、前記スラスト軸受部の前記スラスト軸受面の反対側である反軸受面側に係止されていることを特徴とするスクロール圧縮機。
【請求項２】
前記係止爪が、前記スラストプレートの外周上の少なくとも２箇所以上に所定間隔で設けられていることを特徴とする請求項１に記載のスクロール圧縮機。
【請求項３】
固定部材に端板が固定設置された固定スクロールと、
前記固定スクロールに噛み合わされて圧縮室を形成し、端板背面がスラスト軸受部により支持されて前記固定スクロール周りに公転旋回駆動される旋回スクロールと、
前記スラスト軸受部のスラスト軸受面に設置され、前記旋回スクロールの端板背面が摺動する耐摩耗性材からなる薄板状のスラストプレートと、を備え、
前記スラストプレートは、裏面側の外周上の複数箇所に設けられたウェルドナットを具備し、前記スラスト軸受部の反軸受面側から前記ウェルドナットにネジ結合されるボルトを介して固定設置されていることを特徴とするスクロール圧縮機。
【請求項４】
前記ボルトが、頭部に六角穴を備えたボルトとされていることを特徴とする請求項３に記載のスクロール圧縮機。
【請求項５】
固定部材に端板が固定設置された固定スクロールと、
前記固定スクロールに噛み合わされて圧縮室を形成し、端板背面がスラスト軸受部により支持されて前記固定スクロール周りに公転旋回駆動される旋回スクロールと、
前記スラスト軸受部のスラスト軸受面に設置され、前記旋回スクロールの端板背面が摺動する耐摩耗性材からなる薄板状のスラストプレートと、を備え、
前記スラスト軸受部には、円周上の複数箇所に皿ネジ穴が設けられるとともに、前記スラストプレート側には、周縁に前記皿ネジ穴に嵌合される折り曲げ部を備えた皿状穴が設けられ、前記スラストプレートが前記皿状穴に埋め込まれる皿ネジを介して前記スラスト軸受部に固定設置されていることを特徴とするスクロール圧縮機。
【請求項６】
前記皿ネジの頭部表面が、前記スラストプレートの前記皿状穴に埋め込まれ、その軸受面よりも凹んだ位置に位置されていることを特徴とする請求項５に記載のスクロール圧縮機。
【発明の詳細な説明】
【技術分野】
【０００１】
本発明は、旋回スクロールを支持するスラスト軸受部に耐摩耗性材からなるスラストプレートが設置されているスクロール圧縮機に関するものである。
【背景技術】
【０００２】
スクロール圧縮機は、端板の一面に渦巻き状ラップを立設した一対の固定スクロールおよび旋回スクロールにより構成される圧縮機構を備え、固定スクロールの端板を固定部材に対し固定設置するとともに、旋回スクロールを固定スクロールに噛み合わせて圧縮室を形成し、その端板背面をスラスト軸受部で支持することによって、旋回スクロールを固定スクロール周りに公転旋回駆動可能に設置している。そして、旋回スクロールが旋回駆動により摺動するスラスト軸受部のスラスト軸受面に対して、焼付きを防止するための鋼板等の耐摩耗性材からなる薄板状のスラストプレートを設置している。
【０００３】
スラストプレートは、特許文献１に示されるように、板厚が比較的厚い、例えば、５ｍｍ程度の板材とされている場合は、スラスト軸受部に直接皿ネジ等を介して固定設置しているが、板厚が０．５〜２ｍｍ程度の板材とされている場合、直接ネジ止めすることができないことから、特許文献２に示されるように、外周上の複数箇所に折曲片を設け、その折曲片をスラスト軸受部側の切欠き部に係止して、スラスト軸受面にスラストプレートを保持するようにしている。
【先行技術文献】
【特許文献】
【０００４】
【特許文献１】特開２００２−２４２８５９号公報
【特許文献２】特開２００４−６０４６９号公報
【発明の概要】
【発明が解決しようとする課題】
【０００５】
上記特許文献１に示すように、スラストプレートの板厚を厚くした場合、その分だけスクロール圧縮機の軸方向寸法が大きくなるため、圧縮機の大型化、重量増大、高コスト化は避けられない。従って、小型化、軽量化、低コスト化のため、０．５〜２ｍｍ程度の薄板が使用されることになる。このような薄板状のスラストプレートを設置する場合、スラスト軸受面の外周にスラストプレートの板厚よりも低い土手部を設け、その土手部より内周側の凹部にスラストプレートを設置し、上記折曲片をスラスト軸受部側の切欠き部に係止することにより、回り止めするようにしていた。
【０００６】
しかしながら、上記スラストプレートは、旋回スクロールの端板背面とスラスト軸受部とで挟まれることによりサンドイッチ状態で保持され、直接固定されていないため、液圧縮等によりスラスト荷重が過多となった時や、折曲片の破損あるいは土手部の摩耗等でスラストプレートの拘束がなくなって移動することにより、旋回スクロールの端板背面とスラスト軸受部間に設けられている自転阻止機構やハウジングと干渉し、圧縮機の故障や破損の要因となる等の課題があった。
【０００７】
本発明は、このような事情に鑑みてなされたものであって、板厚が２ｍｍ以下とされた薄板状スラストプレートであっても、しっかりとスラスト軸受部側に固定設置し、その移動を阻止してスラストプレートが他部品と干渉することによるトラブルを防止できるスクロール圧縮機を提供することを目的とする。
【課題を解決するための手段】
【０００８】
上記した課題を解決するために、本発明のスクロール圧縮機は以下の手段を採用する。
すなわち、本発明にかかるスクロール圧縮機は、固定部材に端板が固定設置された固定スクロールと、前記固定スクロールに噛み合わされて圧縮室を形成し、端板背面がスラスト軸受部により支持されて前記固定スクロール周りに公転旋回駆動される旋回スクロールと、前記スラスト軸受部のスラスト軸受面に設置され、前記旋回スクロールの端板背面が摺動する耐摩耗性材からなる薄板状のスラストプレートと、を備え、前記スラストプレートは、外周上の複数箇所に設けられた弾性変形可能なフック形状の係止爪を具備し、その係止爪のフック部を前記スラスト軸受部側に係止することにより固定設置され、前記フック部は、前記スラスト軸受部の前記スラスト軸受面の反対側である反軸受面側に係止されていることを特徴とする。
【０００９】
本発明によれば、スラストプレートが、外周上の複数箇所に設けられた弾性変形可能なフック形状の係止爪を具備し、その係止爪のフック部をスラスト軸受部側に係止することにより固定設置されているため、スラスト軸受部のスラスト軸受面上に設置される薄板状のスラストプレートを、その外周上の複数箇所に設けられた弾性変形可能なフック形状係止爪のフック部を介してスラスト軸受部側に係止することによって、スラストプレートが２ｍｍ以下の薄板状スラストプレートであっても、それをスラスト軸受部のスラスト軸受面上に直接固定設置することができる。従って、スラスト荷重の過多や土手部の摩耗等による薄板状スラストプレートの移動を規制し、スラストプレートが移動して自転阻止機構やハウジング等の他部品と干渉することによる圧縮機の故障、損傷等のトラブルを防止することができる。
【００１０】
さらに、本発明のスクロール圧縮機は、上記のスクロール圧縮機において、前記係止爪が、前記スラストプレートの外周上の少なくとも２箇所以上に所定間隔で設けられていることを特徴とする。
【００１１】
本発明によれば、フック形状係止爪が、スラストプレートの外周上の少なくとも２箇所以上に所定間隔で設けられているため、スラストプレートを２箇所以上の複数箇所でフック形状係止爪のフック部をスラスト軸受部側に係止することによって、スラスト軸受部のスラスト軸受面上に直接固定設置することができる。従って、薄板状スラストプレートの移動を係止爪のフック止めにより確実に規制し、スラストプレートが移動して自転阻止機構やハウジング等の他部品と干渉することによるトラブルを防止することができる。
【００１２】
さらに、本発明にかかるスクロール圧縮機は、固定部材に端板が固定設置された固定スクロールと、前記固定スクロールに噛み合わされて圧縮室を形成し、端板背面がスラスト軸受部により支持されて前記固定スクロール周りに公転旋回駆動される旋回スクロールと、前記スラスト軸受部のスラスト軸受面に設置され、前記旋回スクロールの端板背面が摺動する耐摩耗性材からなる薄板状のスラストプレートと、を備え、前記スラストプレートは、裏面側の外周上の複数箇所に設けられたウェルドナットを具備し、前記スラスト軸受部の反軸受面側から前記ウェルドナットにネジ結合されるボルトを介して固定設置されていることを特徴とする。
【００１３】
本発明によれば、スラストプレートが、裏面側の外周上の複数箇所に設けられたウェルドナットを具備し、スラスト軸受部の反軸受面側からウェルドナットにネジ結合されるボルトを介して固定設置されているため、スラスト軸受部のスラスト軸受面上に設置される薄板状のスラストプレートを、その外周上の複数箇所でスラスト軸受部の反軸受面側からボルトをウェルドナットにネジ結合することによって、スラストプレートが２ｍｍ以下の薄板状スラストプレートであっても、それをスラスト軸受部のスラスト軸受面上に直接ボルト締めして固定設置することができる。従って、スラスト荷重の過多や土手部の摩耗等による薄板状スラストプレートの移動を規制し、スラストプレートが移動して自転阻止機構やハウジング等の他部品と干渉することによる圧縮機の故障、損傷等のトラブルを防止することができる。
【００１４】
さらに、本発明のスクロール圧縮機は、上記のスクロール圧縮機において、前記ボルトが、頭部に六角穴を備えたボルトとされていることを特徴とする。
【００１５】
本発明によれば、ボルトが、頭部に六角穴を備えたボルトとされているため、スラスト軸受部の反軸受面側に十分な空間部を確保できない場合であっても、頭部に六角穴を備えたボルトを用いることにより、スラストプレートをスラスト軸受部のスラスト軸受面上に直接ボルト締めして固定設置することができる。従って、薄板状スラストプレートの移動をボルト止めにより確実に規制し、スラストプレートが移動して自転阻止機構やハウジング等の他部品と干渉することによるトラブルを防止することができる。
【００１６】
さらに、本発明にかかるスクロール圧縮機は、固定部材に端板が固定設置された固定スクロールと、前記固定スクロールに噛み合わされて圧縮室を形成し、端板背面がスラスト軸受部により支持されて前記固定スクロール周りに公転旋回駆動される旋回スクロールと、前記スラスト軸受部のスラスト軸受面に設置され、前記旋回スクロールの端板背面が摺動する耐摩耗性材からなる薄板状のスラストプレートと、を備え、前記スラスト軸受部には、円周上の複数箇所に皿ネジ穴が設けられるとともに、前記スラストプレート側には、周縁に前記皿ネジ穴に嵌合される折り曲げ部を備えた皿状穴が設けられ、前記スラストプレートが前記皿状穴に埋め込まれる皿ネジを介して前記スラスト軸受部に固定設置されていることを特徴とする。
【００１７】
本発明によれば、スラスト軸受部側の円周上の複数箇所に皿ネジ穴が設けられるとともに、スラストプレート側に周縁に皿ネジ穴に嵌合される折り曲げ部を備えた皿状穴が設けられ、スラストプレートが皿状穴に埋め込まれる皿ネジを介してスラスト軸受部に固定設置されているため、スラスト軸受部のスラスト軸受面上に設置される薄板状のスラストプレートを、スラスト軸受部側の皿ネジ穴にスラストプレート側に設けられた周縁に折り曲げ部を備えた皿状穴を嵌合させて設置し、その皿状穴を介して皿ネジをスラスト軸受部の皿ネジ穴にネジ結合することにより、スラストプレートが２ｍｍ以下の薄板状スラストプレートであっても、それをスラスト軸受部のスラスト軸受面上に直接ネジ止めして固定設置することができる。従って、スラスト荷重の過多や土手部の摩耗等による薄板状スラストプレートの移動を規制し、スラストプレートが移動して自転阻止機構やハウジング等の他部品と干渉することによる圧縮機の故障、損傷等のトラブルを防止することができる。
【００１８】
さらに、本発明のスクロール圧縮機は、上記のスクロール圧縮機において、前記皿ネジの頭部表面が、前記スラストプレートの前記皿状穴に埋め込まれ、その軸受面よりも凹んだ位置に位置されていることを特徴とする。
【００１９】
本発明によれば、皿ネジの頭部表面が、スラストプレートの皿状穴に埋め込まれ、その軸受面より凹んだ位置に位置されているため、板厚が２ｍｍ以下のスラストプレートをスラスト軸受面側から皿ネジにより直接ネジ止め固定したとしても、皿ネジの頭部が軸受面から出ないようにしてネジ止め固定することができる。従って、薄板状スラストプレートの移動をネジ止めにより確実に規制し、スラストプレートが移動して自転阻止機構やハウジング等の他部品と干渉することによるトラブルを防止することができる。
【発明の効果】
【００２０】
本発明によると、スラスト軸受部に設置されるスラストプレートが、２ｍｍ以下の薄板状スラストプレートであっても、それをスラスト軸受部のスラスト軸受面上にフック形状係止爪のフック部による係止、ボルト締め、または皿ネジ止めにより直接固定設置することができるため、スラスト荷重の過多や土手部の摩耗等による薄板状スラストプレートの移動を規制し、スラストプレートが移動して自転阻止機構やハウジング等の他部品と干渉することによる圧縮機の故障、損傷等のトラブルを防止することができる。
【図面の簡単な説明】
【００２１】
【図１】本発明の第１実施形態に係るスクロール圧縮機の要部の縦断面図である。
【図２】上記スクロール圧縮機のスラストプレートを固定する部分の拡大断面図である。
【図３】本発明の第２実施形態に係るスラストプレートを固定する部分の拡大断面図である。
【図４】本発明の第３実施形態に係るスラストプレートを固定する部分の拡大断面図である。
【発明を実施するための形態】
【００２２】
以下に、本発明にかかる実施形態について、図面を参照して説明する。
［第１実施形態］
以下、本発明の第１実施形態について、図１を用いて説明する。
図１には、本発明の第１実施形態に係るスクロール圧縮機の要部の縦断面図が示され、図２には、そのスラストプレートを固定する部分の拡大断面図が示されている。
スクロール圧縮機１は、その外殻を構成するハウジング２を備えている。このハウジング２は、カップ形状をなす円筒状のリアハウジング３と、その開口部側に０リング等のシール部材を介して嵌合され、ボルト等により一体に結合されることにより密閉構造のハウジング２を構成するフロントハウジング４とから構成される。
【００２３】
フロントハウジング４側には、主軸受５およびサブ軸受６を介して駆動軸７が回転自在に支持されている。この駆動軸７は、一端側に軸中心に対して所定寸法偏心したクランクピン８を備え、他端側がフロントハウジング４の軸受ボス部４Ａから外部に突出された構成とされている。駆動軸７の外部への突出端には、図示省略された電磁クラッチ付きのプーリが装着されることにより、エンジン等の外部駆動源から動力が入力されるようになっている。なお、駆動軸７が突出されるハウジング２側の開口部は、リップシール９により大気側に対して密封されている。
【００２４】
リアハウジング３の内部には、スクロール圧縮機構１０が内蔵されている。スクロール圧縮機構１０は、端板の一面に渦巻き状ラップを立設した一対の固定スクロール（図示省略）と旋回スクロール１１から構成されるものであり、固定スクロールは、その端板が固定部材であるリアハウジング３に対しボルト等を介して固定設置されている。一方、旋回スクロール１１は、固定スクロールに噛み合わせて圧縮室を形成するものであり、その端板１１Ａの背面がフロントハウジング４に設けられているスラスト軸受部１２により支持され、固定スクロール周りに公転旋回駆動可能に設置されている。
【００２５】
旋回スクロール１１は、端板１１Ａの背面にボス部１１Ｂを備え、そのボス部１１Ｂが駆動軸７の一端に設けられているクランクピン８に対し、ドライブブッシュ１３および旋回軸受１４からなる従動クランク機構１５を介して連結されることにより、固定スクロール周りに公転旋回駆動されるように設置されている。また、旋回スクロール１１は、その端板１１Ａの背面と、スラスト軸受部１２との間に介装されたオルダムリング等の自転阻止機構１６により自転が阻止され、公転旋回駆動されるようになっている。なお、自転阻止機構１６は、オルダムリングを用いたもの以外に、例えばピン／リンク方式等、他の方式を用いたものとしてもよい。
【００２６】
さらに、旋回スクロール１１が公転旋回することにより摺動するスラスト軸受部１２のスラスト軸受面１２Ａには、外周に所定高さの土手部１２Ｂを形成することにより、焼付きを防止するための鋼板等の耐摩耗性材からなる薄板状のスラストプレート１７が設置されている。なお、以上のような構成のスクロール圧縮機１は、従来から広く知られているものであり、格別のものではない。本実施形態の特徴とする点は、上記したスラストプレート１７の設置構造を、以下の通り改善した点にある。
【００２７】
ここでのスラストプレート１７は、その板厚が２ｍｍ以下の薄板とされており、ドーナツ形の円板形状をなすものであって、スラスト軸受部１２における土手部１２Ｂの内側のスラスト軸受面１２Ａに設置可能な構成とされている。このスラストプレート１７の外周部には、図２に示されるように、スラスト軸受部１２の反軸受面側の部位に対して弾性変形されることにより係止される、フック部１８Ａを備えた複数のフック形状をなす係止爪１８が、周方向に所定間隔（等間隔）で少なくとも２箇所以上、望ましくは３箇所以上に設けられている。
【００２８】
上記フック形状係止爪１８のフック部１８Ａは、スラスト軸受部１２の外周面上に設けられている切欠き部１２Ｃを介して、スラスト軸受部１２側の反軸受面側部位に係止されることにより、薄板状のスラストプレート１７をスラスト軸受部１２のスラスト軸受面１２Ａに対して固定設置する構成とされている。
【００２９】
なお、フック形状係止爪１８のフック部１８Ａは、図２に示されるように、３箇所で折曲した形状のフック部１８Ａに限らず、２箇所で直角に折曲したもの、２箇所で三角状に折曲したもの、滑らかに湾曲させたもの、引掛け部を折り返すようにしたもの等々、様々な形状のフック部に変形することが可能である。
【００３０】
さらに、フック形状係止爪１８のフック部１８Ａを引掛けるスラスト軸受部１２側の部位は、本実施形態では、フロントハウジング４のリアハウジング３に対する嵌合突部に設けられている減肉部４Ａを利用した反軸受面側の部位とされているが、これに限定されるものではなく、例えば、スラスト軸受部１２の外周面に適宜引掛け部を設けた構成としてもよい。
【００３１】
以上に説明の構成により、本実施形態によれば、以下の作用効果を奏する。
上記スクロール圧縮機１において、電磁クラッチがＯＮとされ、駆動軸７が外部駆動源からの駆動力を得て回転されると、旋回スクロール１１が固定スクロール周りに公転旋回駆動され、公知の如く圧縮動作が行われる。この際、旋回スクロール１１に対して作用する圧縮反力によるスラスト力は、その端板１１Ａの背面が摺動するスラストプレート１７を介してスラスト軸受部１２により支持されることになる。
【００３２】
本実施形態のスラストプレート１７は、上記の如く、外周上の複数箇所に設けられた弾性変形可能なフック形状係止爪１８のフック部１８Ａをスラスト軸受部１２側に係止することにより、スラスト軸受部１２のスラスト軸受面１２Ａ上に固定設置されている。このため、スラストプレート１７が２ｍｍ以下の薄板状スラストプレート１７であっても、それをスラスト軸受部１２のスラスト軸受面１２上に直接固定設置することができる。
【００３３】
従って、液圧縮等でスラスト荷重が過多となった時や土手部１２Ｂの摩耗等による薄板状スラストプレート１７の移動を規制することができ、スラストプレート１７が移動して自転阻止機構１６やハウジング２等の他部品と干渉することによる圧縮機１の故障、損傷等のトラブルを、簡易な構成で防止することができる。
【００３４】
また、フック形状係止爪１８がスラストプレート１７の外周上の少なくとも２箇所以上に所定間隔で設けられているため、スラストプレート１７を２箇所以上の複数箇所でフック形状係止爪１８のフック部１８Ａをスラスト軸受部１２側に係止することにより、スラスト軸受部１２のスラスト軸受面１２Ａ上に直接固定設置することができる。従って、薄板状スラストプレート１７の移動を係止爪１８のフック止めにより確実に規制し、スラストプレート１７が移動して自転阻止機構１６やハウジング２等の他部品と干渉することによるトラブルを防止することができる。
【００３５】
［第２実施形態］
次に、本発明の第２実施形態について、図３を用いて説明する。
本実施形態は、上記した第１実施形態に対して、ウェルドナットとボルトを用いてスラストプレート１７を固定設置している点が異なる。その他の点については、第１実施形態と同様であるので説明は省略する。
本実施形態においては、図３に示されるように、スラスト軸受部１２のスラスト軸受面１２Ａ上に設置される薄板状のスラストプレート１７の裏面側の外周上の複数箇所（２箇所以上、望ましくは３箇所以上）に、所定の間隔（等間隔）でウェルドナット１９を溶接している。
【００３６】
そして、そのウェルドナット１９がスラスト軸受面１２Ａ上の複数箇所に設けられている凹部１２Ｄ内に配置されるようにするとともに、該ウェルドナット１９に対して、スラスト軸受部１２の反軸受面側から、頭部に六角穴２０Ａを備えたボルト２０をネジ結合することによって、板厚が２ｍｍ以下の薄板状のスラストプレート１７をスラスト軸受面１２Ａ上の土手部１２Ｂの内側に固定設置できるようにしている。
【００３７】
上記構成とすることによって、スラストプレート１７が２ｍｍ以下の薄板状スラストプレート１７であっても、それをスラスト軸受部１２のスラスト軸受面１２Ａ上にボルト２０を介して直接ボルト締めして固定設置することができる。従って、スラスト荷重の過多や土手部１２Ｂの摩耗等による薄板状スラストプレート１７の移動を規制し、スラストプレート１７が移動して自転阻止機構１６やハウジング２等の他部品と干渉することによる圧縮機１の故障、損傷等のトラブルを防止することができる。
【００３８】
また、スラストプレート１７をボルト締めして固定するボルト２０が、頭部に六角穴２０Ａを備えたボルト２０とされているため、スラスト軸受部１２の反軸受面側に十分な空間部を確保できない場合であっても、その六角穴２０Ａを利用してボルト締めすることにより、スラストプレート１７をスラスト軸受部１２のスラスト軸受面１２Ａ上に直接ボルト締めして固定設置することができる。従って、薄板状スラストプレート１７の移動をボルト止めにより確実に規制し、スラストプレート１７が移動して自転阻止機構１６やハウジング２等の他部品と干渉することによるトラブルを防止することができる。
【００３９】
［第３実施形態］
次に、本発明の第３実施形態について、図４を用いて説明する。
本実施形態は、上記した第１および第２実施形態に対して、皿ネジを用いてスラストプレート１７を固定設置している点が異なる。その他の点については、第１および第２実施形態と同様であるので説明は省略する。
本実施形態においては、皿ネジ２１を用いて薄板状のスラストプレート１７をスラスト軸受面１２Ａ上に固定設置するため、スラスト軸受部１２の軸受面１２Ａ上における円周上の複数箇所に皿ネジ穴１２Ｅを設けるとともに、スラストプレート側に、周縁に皿ネジ穴１２Ｅに嵌合される折り曲げ部２２Ａを備えた皿状穴２２が設けられ、スラストプレート１７が皿状穴２２に埋め込まれる皿ネジ２１を介してスラスト軸受部１２に固定設置されるようにしている。
【００４０】
上記構成とすることによって、スラストプレート１７が２ｍｍ以下の薄板状スラストプレート１７であっても、その軸受面上に皿ネジ２１の頭部が突出しないようにして、スラストプレート１７をスラスト軸受部１２のスラスト軸受面１２Ａ上に直接ネジ止めして固定設置することができる。従って、スラスト荷重の過多や土手部１２Ｂの摩耗等による薄板状スラストプレート１７の移動を規制し、スラストプレート１７が移動して自転阻止機構１６やハウジング２等の他部品と干渉することによる圧縮機１の故障、損傷等のトラブルを防止することができる。
【００４１】
また、皿ネジ２１の頭部表面が、スラストプレート１７の皿状穴２２に埋め込まれ、その軸受面より凹んだ位置に位置されているため、板厚が２ｍｍ以下のスラストプレート１７をスラスト軸受面１２Ａ側から皿ネジ２１により直接ネジ止め固定したとしても、皿ネジ２１の頭部が軸受面から出ないようにしてネジ止め固定することができる。従って、薄板状スラストプレートの移動をネジ止めにより確実に規制し、スラストプレートが移動して自転阻止機構やハウジング等の他部品と干渉することによるトラブルを防止することができる。
【００４２】
なお、本発明は、上記実施形態にかかる発明に限定されるものではなく、その要旨を逸脱しない範囲において、適宜変形が可能である。例えば、上記実施形態では、外部から動力を得て駆動される開放型スクロール圧縮機に適用した例について説明したが、モータをハウジング内に内蔵したタイプのスクロール圧縮機にも同様に適用できることはもちろんである。
【符号の説明】
【００４３】
１  スクロール圧縮機
２  ハウジング
３  リアハウジング
４  フロントハウジング
１１  旋回スクロール
１１Ａ  端板
１２  スラスト軸受部
１２Ａ  スラスト軸受面
１２Ｅ  皿ネジ穴
１７  スラストプレート
１８  フック形状係止爪
１８Ａ  フック部
１９  ウェルドナット
２０  ボルト
２０Ａ  六角穴
２１  皿ネジ
２２  皿状穴
２２Ａ  折り曲げ部
【図１】
0006513420.tif 000002
【図２】
0006513420.tif 000003
【図３】
0006513420.tif 000004
【図４】
0006513420.tif 000005